(57)【要約】【課題】既に記録済みの映像情報にグラフィックを重畳し、再記録することでメニュー形式での画面表示が可能であるとともに、メニュー形式の画面表示情報を記録メディアに記録することを実現する。【解決手段】ＭＰＥＧデコーダ９の出力からＭＰＥＧエンコーダ５の入力へのフィードバック経路ＦＢ１とグラフィック処理部１１の出力からＭＰＥＧエンコーダ５の入力へのフィードバック経路ＦＢ２を備え、それを入力切換部４で切り換えることにより、ＭＰＥＧデコーダ９より出力される画像に、グラフィック処理部１１で処理されたグラフィックを重畳してメニュー画面を作成する。【選択図】　　　図１
2004120035.tif 000002
【特許請求の範囲】
【請求項１】
映像信号が入力される入力手段と、
前記映像信号を圧縮して符号化するエンコード手段と、
前記エンコード手段により符号化された映像信号を少なくとも１つの記録メディアに保存する保存手段と、
前記保存手段に保存された映像信号を復号化するデコード手段と、
前記デコード手段により復号化された映像信号に、グラフィックによる描画を重畳するグラフィック処理手段と、
前記デコード手段から出力される映像信号を前記エンコード手段の入力として戻す第１のフィードバック手段と、
前記グラフィック処理手段から出力される映像信号を前記エンコード手段の入力として戻す第２のフィードバック手段と、
前記エンコード手段の入力を、映像信号入力手段、前記第１のフィードバック手段、前記第２のフィードバック手段のいずれかに切り換える切換手段と、
前記切換手段が第２のフィードバック手段を選択した場合に、前記グラフィック処理手段により重畳された映像信号を出力する出力手段とを具備することを特徴とする映像記録再生装置。
【請求項２】
前記エンコード手段の入力が第２のフィードバック手段に接続されているとき、前記グラフィック処理手段にてグラフィックの出力が終了したことを検出する手段と、前記グラフィックの出力が終了した後、前記エンコード手段で一定の時間映像信号を符号化させる制御手段とを具備してことを特徴とする請求項２記載の映像記録再生装置。
【発明の詳細な説明】
【０００１】
【発明の属する技術分野】
この発明は、既に記録メディアに記録された映像情報を再処理して書き戻す際にグラフィックを重畳して表示させる映像記録再生装置に関する。
【０００２】
【従来の技術】
従来の映像記録再生装置は、再処理部にてＨＤＤ（Ｈａｒｄ　Ｄｉｓｋ　Ｄｒｉｖｅ）に記録済みの映像情報を圧縮して記録している。（例えば、特許文献１）
【特許文献１】
特開２０００−１３７４５号公報（第３〜４頁、図１）
【０００３】
【発明が解決しようとする課題】
上記した特許文献１の技術は、記録メディアに記録された映像情報を画面上にメニュー形式で表示する場合に、再処理部４０がＨＤＤ１８のデータを読み取り再圧縮して書き戻す処理の中でグラフィックを重畳していないため、例えばメニュー形式で表現させる場合に文字情報すら表示できなかった。
【０００４】
この発明の目的は、既に記録済みの映像情報にグラフィックを重畳し、再記録することでメニュー形式での画面表示が可能であるとともに、メニュー形式の画面表示情報を記録メディアに記録することを可能にした映像記録再生装置を提供することにある。
【０００５】
【課題を解決するための手段】
上記した課題を解決するために、この発明の映像記録再生装置は、映像信号が入力される入力手段と、前記映像信号を圧縮して符号化するエンコード手段と、前記エンコード手段により符号化された映像信号を少なくとも１つの記録メディアに保存する保存手段と、前記保存手段に保存された映像信号を復号化するデコード手段と、前記デコード手段により復号化された映像信号に、グラフィックによる描画を重畳するグラフィック処理手段と、前記デコード手段から出力される映像信号を前記エンコード手段の入力として戻す第１のフィードバック手段と、前記グラフィック処理手段から出力される映像信号を前記エンコード手段の入力として戻す第２のフィードバック手段と、前記エンコード手段の入力を、映像信号入力手段、前記第１のフィードバック手段、前記第２のフィードバック手段のいずれかに切り換える切換手段と、前記切換手段が第２のフィードバック手段を選択した場合に、前記グラフィック処理手段により重畳された映像信号を出力する出力手段とを具備することを特徴とする。
【０００６】
上記した手段により、既に記録済みの映像情報にグラフィックを重畳し、再記録することでメニュー形式での画面表示が可能であるとともに、メニュー形式の画面表示情報を記録メディアに記録することを可能となる。
【０００７】
【発明の実施の形態】
以下、この発明の実施の形態について、図面を参照しながら詳細に説明する。図１は、この発明を、例えばＤＶＤ（Ｄｉｇｉｔａｌ　Ｖｅｒｓａｔｉｌｅ　Ｄｉｓｃ）規格のＶＲ（Ｖｉｄｅｏ　Ｒｅｃｏｒｄｉｎｇ）規格に準拠したデータ形式に適用した映像記録再生装置の一実施の形態について説明するための構成図である。
【０００８】
図１において、ＴＶ（テレビジョン）チューナ１または外部入力端子２から供給された音声を含む映像信号は、デコーダ３でデジタル信号にそれぞれ変換する。この変換された映像信号は、入力切換部４を介してＭＰＥＧ（Ｍｏｖｉｎｇ　Ｐｉｃｔｕｒｅ　Ｃｏｄｉｎｇ　Ｅｘｐｅｒｔｓ　Ｇｒｏｕｐ）エンコーダ５に供給し、ここでＶＲフォーマットに準拠した形式のデータに変換する。変換後のデータは、データ処理部６を介して、ＨＤＤ７もしくはＤＶＤ−ＲＡＭ（Ｒａｎｄｏｍ　Ａｃｃｅｓｓ　Ｍｅｍｏｒｙ）／Ｒ（Ｒｅｃｏｒｄａｂｌｅ）ドライブ８内に装着されたＤＶＤ−ＲＡＭディスクに記録する。
【０００９】
なお、ＭＰＥＧエンコーダ５は、ＤＶＤビデオフォーマット規格に準拠した形式のデータに変換する機能も備え、目的に応じて切り換えて使用する。
記録された映像信号を再生する場合は、ＨＤＤまたはＤＶＤ−ＲＡＭからＶＲフォーマットのデータを読み出し、データ処理部６を介してＭＰＥＧデコーダ９に供給する。デコードされた映像信号は、出力切換部１０を介してグラフィック処理部１１にてＯＳＤ（Ｏｎ　Ｓｃｒｅｅｎ　Ｄｉｓｐｌａｙ）などのＧＵＩ（Ｇｒａｐｈｉｃａｌ　Ｕｓｅｒ　Ｉｎｔｅｒｆａｃｅ）を重畳し、エンコーダ１２を介して映像出力端子１３と音声出力端子１４にそれぞれ出力する。出力端子１３より出力される映像信号は、図示しないモニターで、出力端子１４より出力されるオーディオ信号は、図示しないスピーカでそれぞれ再生する。
【００１０】
以上の記録再生に係る一連の各部全体の制御は、マイクロコンピュータである制御部１５で実行される。
フィードバック経路ＦＢ１は、ＭＰＥＧデコーダ９の出力を入力切換部４の入力にフィードバックするためのものであり、例えばＨＤＤ７に保存されている長時間記録したデータを、４．７ＧＢであるＤＶＤ−ＲＡＭに収まるサイズにするため、記録ビットレートを下げて再エンコードするためのものである。このフィードバック経路ＦＢ１は、ＭＰＥＧデコーダ９の出力からデータを選択するように戻しているため、再エンコード中にＧＵＩを表示していても、そのグラフィックデータが一緒に記録されることはない。
【００１１】
一方、フィードバック経路ＦＢ２は、グラフィック処理部１１の出力からデータを入力切換部４に戻している。よって、フィードバック経路ＦＢ２から入力される信号をＭＰＥＧエンコード５でエンコードすると、ＭＰＥＧデコーダ９の出力とＧＵＩが重畳された画像を記録することになる。
【００１２】
この実施の形態では、ＴＶチューナや外部入力から入力される映像信号の記録と、すでに記録済みのデータを再生させそれを再エンコードすることによる複製作成のための記録および再生画像とグラフィックを重畳した画像の記録を実現できる。
【００１３】
なお、フィードバック経路ＦＢ２は、グラフィック処理部１１の出力をフィードバックするものであるが、エンコーダ１２の出力であるアナログ信号を、デコーダ３の入力にフィードバックする経路でもよい。この場合は、Ｄ／ＡおよびＡ／Ｄ変換が実行されて多少の画質劣化が考えられるが、ＭＰＥＧデコーダ９の出力とＧＵＩが重畳されたデータを、ＭＰＥＧエンコーダ５にフィードバックするという機能としては同じである。これらの入力経路を切り換える入力切換部４の制御も制御部１５で実行される。
【００１４】
図１で構成される記録再生装置を用い、ＤＶＤ−ＲメディアにＤＶＤビデオフォーマットで記録する手順について、図２のフローチャートを用いて説明する。ＤＶＤ−ＲＡＭ／Ｒドライブ８にＤＶＤ−Ｒメディアが装着されているとき、このＤＶＤ−Ｒメディアに対してＴＶチューナ１や外部入力端子２に入力された信号を記録する場合は、入力切換部４の設定をデコーダ３からの信号をＭＰＥＧエンコーダ５に入力するように切り換える（Ｓ２１）。また、ＭＰＥＧエンコーダ５は、今度はＤＶＤビデオフォーマットを出力するように設定する（Ｓ２２）。
【００１５】
これにより、ＭＰＥＧエンコーダ５から出力されたＤＶＤビデオフォーマット準拠のデータが、データ処理部６を経由してＤＶＤ−ＲＡＭ／Ｒドライブ８内のＤＶＤ−Ｒメディアに記録される（Ｓ２３）。記録終了の命令を受けて記録を終了する（Ｓ２４，Ｓ２５）。
【００１６】
次に、既にＨＤＤ７に記録されているＤＶＤ−ＶＲフォーマットのデータを、ＤＶＤビデオフォーマットでＤＶＤ−Ｒメディアにコピーする手順について図３のフローチャートを用いて説明する。
【００１７】
入力切換部４の設定を、ＭＰＥＧデコーダ９の出力をＭＰＥＧエンコーダ５に入力するようにフィードバック経路ＦＢ１からの入力に切り換える（Ｓ３１）。この状態で記録を開始させると同時にＨＤＤ７内のＶＲフォーマットデータを再生する（Ｓ３２，Ｓ３３）と、ＨＤＤ７内の記録データがＤＶＤ−ＲメディアにＤＶＤビデオフォーマットでコピーできる（Ｓ３４）。記録終了の命令があれば（Ｓ３５）、ステッブＳ３６においてＤＶＤ−Ｒメディアへの記録を終了する。
【００１８】
このとき、コピーの進捗状況をグラフィックで表示しても、フィードバック経路ＦＢ１はＭＰＥＧデコーダ９の出力のみをフィードバックするため、ＤＶＤ−ＲメディアにはＭＰＥＧデコーダ９の出力のみが記録される。
【００１９】
次に、このＤＶＤ−Ｒメディアに、ＤＶＤビデオフォーマットのメニューを作成する処理について図４のフローチャートを用いながら説明する。
ＤＶＤビデオフォーマットのメニューは、記録されたタイトルの名称やサムネイル画像、記録時間などが表示されたものであり、ＭＰＥＧ−２形式で記録されている。メニュー画面の作成はグラフィック処理部１１で行うが、グラフィック処理部１１ではＭＰＥＧ−２形式のデータを出力できないため、ＭＰＥＧ−２形式への圧縮はＭＰＥＧエンコーダ５によって行うことになる。
【００２０】
まず、ステップＳ４１において、ユーザがメニュー作成を指示したら、グラフィック処理部１１の出力をＭＰＥＧエンコーダ５に戻すためのフィードバック経路ＦＢ２を選択するように、入力切換部４を切り換える（Ｓ４２）。その後、ＭＰＥＧデコーダ９からの再生画像上に、グラフィック処理部１１で描画するグラフィックを重畳してメニュー画像を作成する（Ｓ４３，Ｓ４４）。このメニュー画像は、フィードバック経路ＦＢ２を経由してＭＰＥＧエンコーダ５に入力され、ここでＭＰＥＧ−２形式のメニュー用データが作成される（Ｓ４５）。
【００２１】
また、ＤＶＤビデオフォーマットのメニューデータには、サブピクチャーと呼ばれる情報が付加されている。このサブピクチャーには、ユーザがリモコンでメニュー内のボタンを選択したときの選択色などの情報が記述されている。制御部１５では、このサブピクチャーの作成を行い（Ｓ４６）、ＭＰＥＧエンコーダ５で作成したＭＰＥＧ−２データと多重化する。
【００２２】
このようにして作成されたＤＶＤビデオフォーマットのメニューデータを、ＤＶＤ−Ｒメディアに記録する（Ｓ４７）。最後にＤＶＤ−Ｒメディアに対する最終処理を行うことで、ＤＶＤ−Ｒへの記録処理を終了する（Ｓ４８）。
【００２３】
図５は、この発明の第２の実施の形態について説明するためのフローチャートである。この実施の形態は、グラフィック処理部１１がメニュー用グラフィックの描画が完了したことを検出する機能およびＭＰＥＧエンコーダ５のエンコード開始終了を細かく制御できる機能を備えた場合についてであり、図１とともに説明する。なお、図５では、図４のメニュー作成処理ステップＳ４２以降について記している。
【００２４】
図４と同じように、ＤＶＤビデオフォーマットのメニューを作成するときは、まず入力切換部４の入力をフィードバック経路ＦＢ２に切り換える（Ｓ５１）。その後、ＭＰＥＧエンコーダ５をポーズ状態にし（Ｓ５２）、グラフィック処理部１１でメニュー画面の描画を行う（Ｓ５３）。描画が完了したことをグラフィック処理部１１から検出されたら（Ｓ５４）、ＭＰＥＧエンコーダ５のポーズ状態を１フレームの間だけ解除する（Ｓ５５）ことで、１コマのメニュー画面をエンコードする。その後、メニューのアニメーションの続きがなくなるまで、グラフィック処理部で画像の表示と１フレームのエンコードを繰り返し行う（Ｓ５６〜Ｓ５８）。
【００２５】
また、ＤＶＤビデオフォーマットのメニューデータには、サブピクチャーと呼ばれる情報が付加されている。このサブピクチャーには、ユーザがリモコンでメニュー内のボタンを選択したときの選択色などの情報が記述されている。制御部１５では、このサブピクチャーの作成を行い（Ｓ５９）、ＭＰＥＧエンコーダ５で作成したＭＰＥＧ−２データと多重化する。
【００２６】
このようにして作成されたＤＶＤビデオフォーマットのメニューデータを、ＤＶＤ−Ｒメディアに記録する（Ｓ６１）。最後にＤＶＤ−Ｒメディアに対する最終処理を行うことで、ＤＶＤ−Ｒへの記録処理を終了する（Ｓ６２）。
【００２７】
この実施の形態では、グラフィック出力が終了したら短い時間だけエンコードするということを繰り返し、複数のグラフィックによるアニメーションとして動く動画メニューの作成が可能となる。
【００２８】
【発明の効果】
以上説明したように、この発明の映像記録再生装置によれば、既に記録済みの映像情報にグラフィックを重畳し、再記録することでメニュー形式での画面表示が可能である。
【図面の簡単な説明】
【図１】この発明の一実施の形態について説明するための構成図。
【図２】ＤＶＤ−ＲメディアにＤＶＤビデオフォーマットで録画する手順について説明するためのフローチャート。
【図３】ＤＶＤ−ＶＲフォーマットのデータをＤＶＤビデオフォーマットでＤＶＤ−Ｒメディアにコピーする手順について説明するためのフローチャート。
【図４】ＤＶＤ−ＲメディアにＤＶＤビデオフォーマットのメニューを作成する処理について説明するためのフローチャート。
【図５】この発明の他の実施の形態について説明するためのフローチャート。
【符号の説明】
１…ＴＶチューナ
２…デコーダ
３…外部入力端子
４…入力切換部
５…ＭＰＥＧエンコーダ
６…データ処理部
７…ＨＤＤ
８…ＤＶＤ−ＲＡＭ／Ｒドライブ
９…ＭＰＥＧデコーダ
１０…出力切換部
１１…グラフィック処理部
１２…エンコーダ
【図１】
2004120035.tif 000003
【図２】
2004120035.tif 000004
【図３】
2004120035.tif 000005
【図４】
2004120035.tif 000006
【図５】
2004120035.tif 000007